【手続補正書】
【提出日】平成15年11月4日(2003.11.4)
【手続補正１】
【補正対象書類名】明細書
【補正対象項目名】特許請求の範囲
【補正方法】変更
【補正の内容】
【特許請求の範囲】
【請求項１】
多数の画素領域が行列の形態で構成されている行列型表示装置であって、
前記各画素領域の上下境界をそれぞれ構成し、横に形成されている上部及び下部第１信号線と、
前記各画素領域の間に縦に形成され、前記上部及び下部の第１信号線と絶縁されて交差する第２信号線と、
前記各画素領域の境界を構成し、前記第２信号線に平行に隣接して形成されており、前記上部及び下部第１信号線と共に前記第２信号線との交差点を三つ以上構成する補助信号線と、
前記画素領域の内に形成され、透明な導電物質からなる画素電極と、
前記上部第１信号線と連結されている第１端子、前記画素電極と連結されている第２端子及び前記第２信号線と連結されている第３端子を具備する開閉素子と、
を含む行列型表示装置。
【請求項２】
前記補助信号線は前記上部第１信号線または前記下部第１信号線に連結されることを特徴とする、請求項１に記載の行列型表示装置。
【請求項３】
前記上部及び下部第１信号線と前記補助信号線は前記画素電極と重なって容量蓄電器を構成することを特徴とする、請求項１に記載の行列型表示装置。
【請求項４】
第２絶縁体を媒介として前記補助信号線と前記画素電極とを連結する第２連結手段をさらに備えることを特徴とする、請求項３に記載の行列型表示装置。
【請求項５】
前記上部第１信号線と上部画素の下部第１信号線とを絶縁膜を介して重なって形成される連結手段を更に含むことを特徴とする、請求項１に記載の行列型表示装置。
【請求項６】
前記補助信号線は不透明金属層から形成され、前記画素電極の周辺部の光を遮断する役割をすることを特徴とする、請求項第１に記載の行列型表示装置。
【請求項７】
多数の画素領域が行列の形態で形成されている行列型表示装置において、
前記各画素領域の境界を構成し、横に形成されて走査信号を伝達するゲート線と、
前記各画素領域の間に縦に形成され、前記ゲート線と絶縁されて交差し画素信号を伝達するデータ線と、
前記画素領域の間に形成されている透明画素電極と、
前記ゲート線と連結されている第１端子、前記データ線と連結されている第２端子および前記画素電極と連結されている第３端子を具備する開閉素子と、
前記ゲート線から延長されて前記データ線に隣接する補助信号線と、
を包含し、前記ゲート線及び補助信号線は前記データ線と少なくとも二つの交差部、または重畳部に前記データ線と前記ゲート線、または前記補助信号線を短絡させ、前記補助信号線を前記ゲート線から分離させて前記データ線の迂回路で使用するデータ線の断線修理方法。
【請求項８】
前記ゲート線は前記画素領域の上下境界となる二つの信号線からなることを特徴とする、請求項７に記載のデータ線の断線修理方法。
【請求項９】
前記補助信号線は前記画素電極と一部重畳して形成され、維持電極として使用されることを特徴とする、請求項７または請求項８に記載のデータ線の断線修理方法。
【請求項１０】
多数の画素領域が行列の形態で形成されている行列型表示装置において、
前記各画素領域の上下境界をそれぞれ構成し、横方向に形成されて走査信号を印加する上部及び下部ゲート線と、
前記各画素領域の間に縦方向に形成されており、前記上部及び下部ゲート線と絶縁されて交差し画素信号を印加するデータ線と、
前記画素領域の間に形成されており、透明導電物質からなる画素電極と、
前記上部ゲート線と連結されている第１端子、前記データ線と連結されている第２端子および前記画素電極と連結されている第３端子を具備する開閉素子と、
前記画素電極と一部重畳されるように形成される維持電極と、
を包含し、前記維持電極が前記ゲート線と少なくとも二つの交差部、または重畳部を有する行列型表示装置のデータ線の断線修理方法であって、
前記データ線が断線されると、断線される地点に隣接する維持電極を孤立させる段階と、
前記断線される地点に隣接する交差部に前記孤立される維持電極と前記データ線を短絡させる段階と、
を包含するデータ線の断線修理方法。
【請求項１１】
各画素領域の上下境界をそれぞれ構成し、走査信号が供給される上部および下部ゲート線と、
前記各画素領域の間に形成されて前記上部及び下部ゲート線と絶縁されて交差し画像信号が供給されるデータ線と、
前記画素領域内に形成されている透明画素電極と、
前記上部ゲート線と連結されているゲート、前記データ線と連結されているソース及び前記画素電極と連結されているドレインを有するトランジスタと、
前記ゲート線と連結されており、前記画素電極と絶縁されて重畳されている補助ゲート線と、
を含む液晶表示装置の画素欠陥修理方法であって、
画素欠陥が発生する画素領域の前記画素電極を前記補助ゲート線と短絡させて前記走査信号が前記画素電極に常に供給されるようにする液晶表示装置の画素欠陥修理方法。
【請求項１２】
各画素領域の上下境界をそれぞれ構成し、走査信号が供給される上部および下部ゲート線と、
前記各画素領域の間に形成されて前記上部及び下部ゲート線と絶縁されて交差し画像信号が供給されるデータ線と、
前記画素領域内に形成されており、透明導電物質からなる画素電極と、
前記上部ゲート線と連結されているゲート、前記データ線と連結されているソース及び前記画素電極と連結されているドレインを有するトランジスタと、
前記画素電極及び前記データ線と重畳されている第１連結手段と、
を含む液晶表示装置の画素欠陥修理方法であって、
画素欠陥が発生する画素領域の前記画素電極を前記第１連結手段と連結する段階と、
前記第１連結手段を前記データ線と連結して前記画像信号が前記画素電極に供給されるようにする段階と、
を含む液晶表示装置の画素欠陥修理方法。
【請求項１３】
前記第１連結手段は不透明な物質としてブラックマトリクスの役割をする、請求項１２に記載の液晶表示装置の画素欠陥修理方法。
【請求項１４】
前記第１連結手段は前記画素電極と共に維持蓄電器からなることを特徴とする、請求項１２に記載の液晶表示装置の画素欠陥修理方法。
【請求項１５】
前記第１連結手段は前記ゲート線と連結されている場合、前記第１連結手段を前記ゲート線から分離する段階を更に含むことを特徴とする、請求項１２に記載の液晶表示装置の画素欠陥修理方法。
【請求項１６】
前記第１連結手段は前記ゲート線と連結されている場合、前記第１連結手段を前記ゲート線から分離する段階を更に含むことを特徴とする、請求項１２に記載の欠陥修理方法。
【請求項１７】
前記液晶表示装置は、前記第１連結手段と前記画素電極の重畳点に、前記第１連結手段と前記画素電極との間に絶縁体を媒介して前記データ線と同一の物質からなる第２連結手段を更に包含し、
前記第１連結手段と前記画素電極を連結する段階は、
前記第１連結手段を前記第２連結手段と短絡させる段階と、
前記第２連結手段を前記画素電極と連結する段階と、
を含むことを特徴とする請求項１２に記載の液晶表示装置の画素欠陥修理方法。
【請求項１８】
前記第１連結手段と前記第２連結手段の重畳点は前記第２連結手段と前記画素電極の重畳点と同一であることを特徴とする、請求項１７に記載の液晶表示装置の画素欠陥修理方法。
【請求項１９】
横方向に形成されており、走査信号を伝達するゲート線と、
縦方向に形成されており、前記ゲート線と絶縁されて交差し画像信号を伝達するデータ線と、
前記ゲート線と前記データ線とが交差して定義する画素領域に形成されている画素電極と、
前記ゲート線と連結されている第１端子、前記データ線と連結されている第２端子及び前記画素電極と連結されている第３端子を有する開閉素子と、
前記データ線に隣接し、前記データ線と重なる部分を少なくとも二つ有する補助信号線と、
を含む行列型表示装置。
【請求項２０】
前記ゲート線は前記画素領域の上下に各々位置する第１及び第２ゲート線を含むことを特徴とする、請求項１９に記載の行列型表示装置。
【請求項２１】
前記ゲート線を介して隣接する二つの画素領域内に位置する二つの前記補助信号線と同時に重なる連結部をさらに含むことを特徴とする、請求項１９に記載の行列型表示装置。
【請求項２２】
前記補助信号線は前記画素電極と一部重なっていることを特徴とする、請求項１９に記載の行列型表示装置。
【請求項２３】
前記補助信号線は不透明金属で形成し前記画素電極周辺部の光を遮断する役割をすることを特徴とする、請求項１９に記載の行列型表示装置。